(57)【要約】      （修正有）【課題】販売価格を減少させるだけでなく全体的な省エネルギー効果を高め、サービス寿命を長くし、単純な構造を有し、炭素削減性能において環境保護達成にも好都合な、風呂シャワーの省エネルギー熱交換器を提供する。【解決手段】浴槽２に風呂のシャワーの熱交換器を配置し、水道水の管Ｐを下部金属プレート２０の吸水口２１における管継手Ｊに連結し、下部金属プレート２０の放水口２２の管継手Ｊに温水器１００の吸込管１０１を連結して、放出された熱いシャワー水Ｗを踏み板３の複数の孔ｈを経て上部金属プレート１０の上面１１に落とし、金属プレート１０・２０によって囲まれる中空の空間１５に流れる冷たい水道水Ｗを加熱する。【選択図】図１３
2010210228.tif 000002
【特許請求の範囲】
【請求項１】
次の処理ステップ：
（ａ）スタンプ成型工程により、同じ範囲の上部金属プレートおよび下部の金属プレートを作成する材料として非磁性防腐金属の使用と；
（ｂ）均等に間隔を置かれ並列に配置された複数の台パドルの、該上部金属プレートの底面の方へ上面の押圧、一方で吸水口および放水口の、該下部金属プレートの押圧と；
（ｃ）該上部金属プレートの底面を出水するように該下部金属プレート上に積み重ねた後、それらをスポット溶接のためにスポット溶接機に配置されることによる、列におけるすべての台パドルの各々のパドル下部の、該下部金属プレートの対応する点との規則正しい溶接、一方で、該スポット溶接機の陰極ローラーの、溶接された該上部金属プレートおよび該下部金属プレートの一体になった実在物の反りプレートとしての屈曲と；
（ｄ）溶接された該上部金属プレートおよび該下部金属プレートの該一体の実在物周辺でのすべての周辺装置の封止と；および、
（ｅ）製造工程を完了するため、該下部の金属プレート上の各々の吸水口および放水口への管継手のそれぞれ個々の溶接と；を含む、風呂のシャワーの熱交換器を組み立てる際の製造方法。
【請求項２】
前記ステップ（ｄ）が、前記上部金属プレートの上面で互いに面して組み合わされて並置され、２つの並列した中空状の溝の一組が生成される追加のステップ（ｄ´）をさらに含む請求項１記載の製造方法。
【請求項３】
上部金属プレートと；下部金属プレートとを含む風呂のシャワーの熱交換器の構造であって：
スタンプ成型工程によって非磁性防腐金属でできている長方形の反りプレートである該上部金属プレートが、各々のパドル下部の直径が台パドルの開口のそれよりも小さいようにその底面の方へ上面に押される均等に間隔を置かれた並列配置の複数の台パドルを有し；
スポット溶接によって積み重なるように該上部金属プレートの底面の下でパッドを入れるための該上部金属プレートと同じ範囲を有するスタンプ成型工程による非磁気防腐金属でできている長方形反りプレートである該下部金属プレートは、管継手がそれぞれ各々の吸水口および放水口に個々に溶接されるようにその上に押される吸水口および放水口を有し；
このことにより、列のすべての該台パドルの各々のパドル下部は該下部金属プレートの対応する点と溶接され、該上部金属プレートおよび該下部金属プレートの周りのすべての周辺装置は一体の実在物に溶接されて封止されるので、該上部金属プレートおよび該下部金属プレートによって囲まれたこれらの複数の台パドル以外の内部空間が水循環のための中空の空間を生成する、風呂のシャワーの熱交換器の構造。
【請求項４】
前記上部金属プレートおよび前記下部金属プレートがスタンプ成型工程により非磁性ステンレススチール・プレートでできている、請求項３記載の風呂のシャワーの熱交換器の構造。
【請求項５】
上部金属プレートと、下部金属プレートと、挟まれた断熱層と、単一のデッキと、右側腹部および左側腹部とを含む風呂のシャワーの熱交換器の構造であって：
スタンプ成型工程によって非磁性防腐金属から作成される一対の縦の押し込まれた端を有する長方形反りプレートである該上部金属プレートは、各々の前記パドル下部の直径が前記台パドルの開口のそれよりも小さいように、その底面の方へ上面で押される均等な間隔を置かれた並列配置の複数の台パドルを有し；
スポット溶接融合によって積み重なるように該上部金属プレートの底面の下でパッドを入れられるように該上部金属プレートのそれより小さい範囲で、スタンプ成型工程によって非磁性防腐金属から作成される長方形反りプレートである該下部金属プレートは、それぞれ吸込ダクトが吸水口に溶接され、吐出しダクトが放水口に溶接されるようにその上に押される吸水口および放水口を有し；
このことにより、列におけるすべての該台パドルの各々の該パドル下部は、該下部金属プレート上の対応する点で溶接され、該上部金属プレートおよび該下部金属プレートの周りのすべての周辺装置は一体の実在物に溶接されるので、該上部金属プレートおよび該下部金属プレートによって囲まれるこれらの複数の該台パドル以外のすべての内部空間は、水循環のための中空の空間を生成し；
取り付けの土台として役立つようにその上面に配置される複数のニップルを有する該上部金属プレートと同じ範囲を有する長方形平面プレートである該単一のデッキは、互いに取り付けをネジ止めするため該上部金属プレート上の対応する一対の押し込まれた端を通じた自動のネジ切りのネジによって動かされるその一対の縦の縁辺において生成される複数の固定孔を有し；
断熱特性を有する材料でできている該挟まれた断熱層は、該下部金属プレートと該単一のデッキとに挟まれ；
組立てられた該上部金属プレートと該単一のデッキとの右横側を覆う該右側腹部は、入口管継手の内部の端が吸込ダクトに連結され、放出口管継手の内部の端が吐出しダクトに連結されるように、そこで構成される入口管継手と放出口管継手とを有し；
組立てられた該上部金属プレートと該単一のデッキとのもう一方の左の横側を覆う該左側腹部は、該右側腹部のそれらと同じ範囲および形状を有する、風呂のシャワーの熱交換器の構造。
【請求項６】
前記２つの並列した中空状の溝の一組が前記上部金属プレートの上面で互いに面して組み合わされて並置されて生成される、請求項５記載の風呂のシャワーの熱交換器。
【請求項７】
前記挟まれた断熱層が発泡イソシアン酸塩、揮発性のポリスチレン、鉱物の殻のウール、アルミニウム・ケイ酸塩などのような断熱特性を有する材料でできている、請求項５記載の風呂のシャワーの熱交換器。
【請求項８】
上面金属プレートと、金属管の配列と、挟まれた断熱層と、単一のデッキと、右側腹部および左側腹部とを含む風呂のシャワーの熱交換器の構造であって：
スタンプ成型工程によって非磁性防腐金属から作成される長方形反りプレートである該上面金属プレートは、上面と、底面と、２つの横側部と、一対の縦の押し込まれた端を有する２つの縦側部とを有し；
該上面金属プレートの底面の下に位置し、それに取り付けられる該金属管の配列は、複数の直線の金属管と、複数のＵ字形曲り部品と、２つのオフセット部品とを含み：
各々の管の断面の形状が直角である該直線の金属管は、規則正しく最前部から最後部に当接し；
並列した正方形の取り付け鼻部の一対を有する曲がった中空の管である各々の該Ｕ字形曲り部品は、各々の正方形の取り付け鼻部の外側のサイズが各々の該直線の金属管の内部のサイズより幾分小さいようにそれぞれ各々の開口部で構成され；
各々の該オフセット部品は、該直線の金属管の開いた正方形の端への連結のために内部の開口部で配置された正方形の取り付け鼻部を有し、一方で管取り付け鼻部は、該右側腹部の入口管継手または放出口管継手への連結のため外部の開口部で配置され；
取り付けの土台として役立つようにその上面に配置される複数のニップルを有する該上面金属プレートと同じ範囲の長方形平面プレートである該単一のデッキは、互いに取り付けをネジ止めするため該上部金属プレート上の対応する一対の押し込まれた端を通じた自動のネジ切りのネジによって動かされるその一対の縦の縁辺において生成される複数の固定孔を有し；
断熱特性を有する材料でできている該挟まれた断熱層は、該金属管の配列と該単一のデッキとに挟まれ；
組立てられた該上面金属プレートと該単一のデッキとの右横側を覆う該右側腹部は、入口管継手の内部の端が該オフセット部品の管取り付け鼻部に連結されるようにそこで構成される入口管継手および放出口管継手を有し、該放出口管継手の内部の端は、他の該オフセット部品の管取り付け鼻部に連結され；および、
組立てられた該上面金属プレートと該単一のデッキとのもう一方の左横側を覆う該左側腹部は、該右側腹部のそれらと同じ範囲および形状を有する、風呂のシャワーの熱交換器の構造。
【請求項９】
各々の前記直線の金属管の端部分と、各々の前記Ｕ字形曲り部品の前記正方形の取り付け鼻部と、前記金属管の配列における各々の前記オフセット部品とのすべての正方形の部分の形状が、楕円の直線の金属管および楕円の取り付け鼻部のように適合可能な方法で楕円の形状に変えることができる、請求項８記載の風呂のシャワーの熱交換器。
【請求項１０】
前記挟まれた断熱層が発泡イソシアン酸塩、揮発性のポリスチレン、鉱物の殻のウール、アルミニウム・ケイ酸塩などのような断熱特性を有する材料でできている、請求項８記載の風呂のシャワーの熱交換器。
【請求項１１】
前記金属管の配列が前記上面金属プレートの底面の下で中心線に対称的にひだをつけられる両方の縦の縁辺から適応するヘビ状のタイプおよびその逆にも変更されることができる、請求項８記載の風呂のシャワーの熱交換器。
【請求項１２】
前記金属管の配列が前記上面金属プレートの底面の下で外側に巻回される中心から適応するコイルタイプおよびその逆にも変更されることができる、請求項８記載の風呂のシャワーの熱交換器。
【発明の詳細な説明】
【技術分野】
【０００１】
本発明は、風呂のシャワーの省エネルギー熱交換器に関し、その熱交換器は、好都合な購買意欲に結びつき消費者がより入手しやすくなるように省エネルギー効率を高めるのと同様に、かなり製造時間およびコストが減少するという複数の効果を有する単純な構造特徴を有する。したがって、本発明は総合的な宣伝速度および人気の増加に有益なだけではなく、省エネルギーの環境保護および炭素削減性能を達成するためにも好都合である。
【背景技術】
【０００２】
炭素製品を減らすため、例えば、中国特許ＣＮ２３４９４９４Ｙ号、ＣＮ２６６２１８５Ｙ号、ＣＮ２５３５７０２Ｙ号などにおいて開示されるもののように、家庭において使用される多くの風呂のシャワーの熱交換器は市販されている。その設計概念は、熱交換器を通り抜けて入って来る冷えた水道水が、熱供給源として役立つ風呂に入れられた熱い廃水によって加熱されるので、熱交換器からの出る水道水の温度は、風呂のシャワーの温水器のための吸込管に導かれるために入って来る水道水のそれよりも暖かくなることである。このことにより、風呂のシャワーの温水器に入る水の温度は上昇し、水を加熱するエネルギー源を節約する結果になる。しかしながら、これらの市販の熱交換器の複雑な構造上の設計のために、製造プロセスおよび関連した機械は相対的に増加し、販売価格および製造費用が、削減の余地なく高水準のままであるだけでなく、マーケティング促進および人気もまた、消費者の購買意欲を阻んで妨害される。したがって、構造上の設計を単純化し、消費者の購買意欲および能力を満たすように風呂のシャワーの熱交換器の製造費用を減らす方法は重大な緊急の問題である。
【先行技術文献】
【特許文献】
【０００３】
【特許文献１】中国特許ＣＮ２３４９４９４Ｙ号
【特許文献２】中国特許ＣＮ２６６２１８５Ｙ号
【特許文献３】中国特許ＣＮ２５３５７０２Ｙ号
【発明の概要】
【０００４】
本発明の主な目的は、風呂のシャワーの熱交換器の製造方法および構造を提供することであり、その製造方法によって製造される熱交換器は、消費者の購買能力によって入手可能であるために販売価格の減少につながるように全体の製造コストを本質的に減少するだけでなく、全体的な省エネルギー効果を高め、消費者の購買意欲を促進するようにサービス寿命を長くするように単純な構造を有する。したがって、宣伝の速度および人気のために有益なだけではなく、省エネルギーの環境保護および炭素削減性能を達成するためにも好都合である。
【図面の簡単な説明】
【０００５】
【図１】図１は、本発明の第１実施態様の製造工程を示しているフローチャートである。
【図２】図２は、本発明の第１実施態様の上部金属プレートおよび下部金属プレートを示している概略斜視図である。
【図３】図３は、本発明の第１実施態様の上部金属プレートを示している概略斜視図である。
【図４】図４は、本発明の第１実施態様の下部金属プレートを示している概略斜視図である。
【図５】図５は、本発明の第１実施態様の上部金属プレートおよび下部金属プレートのスポット溶接を示している第１の操作上の図である。
【図６】図６は、本発明の第１実施態様の上部金属プレートおよび下部金属プレートのスポット溶接を示している第２の操作上の図である。
【図７】図７は、本発明の第１実施態様の主要な方法によって作成された風呂のシャワーの熱交換器を示している概略斜視図である。
【図８】図８は、図７に示す線８‐８に沿った断面図である。
【図９】図９は、本発明の第１実施態様の主要な方法によって作成された風呂のシャワーの熱交換器を示している断面図である。
【図１０】図１０は、本発明の第１実施態様から変更された方法によって作成された風呂のシャワーの熱交換器を示している概略斜視図である。
【図１１】図１１は、図１０に示す線１１‐１１に沿った断面図である。
【図１２】図１２は、図１０に示す線１２‐１２に沿った断面図である。
【図１３】図１３は、本発明の第１実施態様の方法によって作成された風呂のシャワーの熱交換器の取り付けを示している概略斜視図である。
【図１４】図１４は、本発明の第１実施態様の方法によって作成された風呂のシャワーの熱交換器の取り付けを示している断面図である。
【図１５】図１５は、図１４に示す線１５‐１５に沿った断面図である。
【図１６】図１６は、本発明の第２実施態様の風呂のシャワーの熱交換器を示している概略分解斜視図である。
【図１７】図１７は、本発明の第２実施態様の風呂のシャワーの熱交換器の取り付けを示している概略斜視図である。
【図１８】図１８は、図１７に示す線１８‐１８に沿った断面図である。
【図１９】図１９は、図１７に示す線１９‐１９に沿った断面図である。
【図２０】図２０は、本発明の第３実施態様の風呂のシャワーの熱交換器を示している概略分解斜視図である。
【図２１】図２１は、本発明の第３実施態様の風呂のシャワーの熱交換器を示している組立てられた概略斜視図である。
【図２２】図２２は、図２１に示す線２２‐２２に沿った断面図である。
【図２３】図２３は、本発明の第３実施態様の風呂のシャワーの熱交換器の金属管の配列を示している概略斜視図である。
【図２４】図２４は、本発明の第３実施態様の風呂のシャワーの熱交換器の金属管の配列を示している概略上面図である。
【図２５】図２５は、本発明の第３実施態様の風呂のシャワーの熱交換器の金属管の配列を示している断面図である。
【図２６】図２６は、本発明の第３実施態様の風呂のシャワーの熱交換器の修正された金属管の配列を示している第１の概略上面図である。
【図２７】図２７は、本発明の第３実施態様の風呂のシャワーの熱交換器の修正された金属管の他の配列を示している第２の概略上面図である。
【図２８】図２８は、本発明の第３の実施態様の風呂のシャワーの熱交換器の他の修正された金属管の配列を示している第３の概略上面図である。
【発明を実施するための形態】
【０００６】
図１および図９を参照すると、本発明の「風呂のシャワーの熱交換器」の製造方法の処理ステップを以下のように含んで示される。
ａ．スタンプ成型工程（図２に示すように）により、同じ範囲の上部金属プレート１０および下部の金属プレート２０を作成する材料として非磁性防腐金属を使用する；
ｂ．均等に間隔を置かれ並列に配置された複数の台パドル１３は、上部金属プレート１０（図３に示すように）の底面１２の方へ上面１１に押され、一方で吸水口２１および放水口２２は、下部の金属プレート２０（図４に示すように）に押される；
ｃ．上部金属プレート１０の底面１２を出水するように下部の金属プレート２０上に積み重ねた後、それらをスポット溶接（図５に示すように）のためにスポット溶接機Ｓに配置するので、列におけるすべての台パドル１３の各々のパドル下部１４は、下部金属プレート２０（図８に示すように）の対応する点と規則正しく溶接され、一方で、スポット溶接機Ｓの陰極ローラーＲは、溶接された上部金属プレート１０および下部の金属プレート２０の一体になった実在物を反りプレート（図６に示すように）のように曲げる；
ｄ．溶接された上部金属プレート１０および下部の金属プレート２０（図７に示すように）の一体の実在物周辺ですべての周辺装置を封止する；および、
ｅ．製造工程（図９に示すように）を完了するために下部の金属プレート２０上の各々の吸水口２１および放水口２２に個々に管継手Ｊをそれぞれに溶接する。
【０００７】
図８および図９を参照すると、上述した前の工程によって製造される本発明の「風呂のシャワーの熱交換器」の構造は、上部金属プレート１０および下部の金属プレート２０を含み、そこにおいて：
スタンプ成型工程によって非磁性防腐金属でできている長方形の反りプレートである前記上部金属プレート１０は、各々のパドル下部１４の直径が台パドル１３（図８および関連した拡大図に示すように）の開口のそれよりも小さいようにその底面１２の方へ上面１１に押される均等に間隔を置かれた並列配置の複数の台パドル１３を有し；スポット溶接によって積み重なるように上部金属プレート１０の底面１２の下でパッドを入れるための上部金属プレート１０と同じ範囲を有するスタンプ成型工程による非磁気防腐金属でできている長方形反りプレートである前記下部金属プレート２０は、管継手Ｊがそれぞれ各々の吸水口２１および放水口２２（図９に示すように）に個々に溶接されるようにその上に押される吸水口２１および放水口２２を有する。このことにより、列のすべての台パドル１３の各々のパドル下部１４は下部金属プレート２０の対応する点と溶接され、上部金属プレート１０および下部金属プレート２０の周りのすべての周辺装置は一体の実在物（図７に示すように）に溶接されて封止されるので、上部金属プレート１０および下部の金属プレート２０によって囲まれたこれらの複数の台パドル１３以外の内部空間は、水循環（図９および関連した拡大図に示すように）のための中空の空間１５を生成する。
【０００８】
図１、図１０、および、図１２を参照する。工程ステップｄは、各々の溝の一組１６においてすべての隣接したとがった溝が４列の台パドル１３（図１０および１２に示すように）を含む偶数によって間隔を置かれるように上部金属プレート１０の上面１１上に互いに面して組み合わされて並置されて生成された２つの並列した中空状の溝の一組１６を有する追加のステップｄ´をさらに含むことができる；このことにより、各々の溝の一組１６のとがった溝が、中空の空間１５の水循環の方向を高め、結果として熱交換の効率を促進するために面するように組み合わされる。
【０００９】
本発明の風呂のシャワーの熱交換器の取り付けおよびシャワー操作を示す図１３から図１５を参照する。取り付けのため、まず、バスルーム１のフロアの段になった浴槽２に本発明の風呂のシャワーの熱交換器を配置する；次に、水道水の管Ｐを下部金属プレート２０の吸水口２１における管継手Ｊに連結する；第３に、下部金属プレート２０の放水口２２の管継手Ｊに温水器１００の吸込管１０１を連結する；そして最後に、取り付け（図１３および図１４に示すように）を完了するため、段になった浴槽２の上面開口上の複数の孔ｈを有する踏み板３を覆う。シャワー操作のためには、まず、放出管１０２を経て温水器１００から到来し、シャワー噴霧器１０３から撒き散らされるある程度熱いシャワー水Ｗが、ユーザの体にシャワーを浴びせるために使われる；次に、熱いシャワー水Ｗは、バスルーム１のフロア上の踏み板３の複数の孔ｈを経て上部金属プレート１０の上面１１に滴り落ちる；第３に、下部金属プレート２０上の吸水口２１の管継手Ｊを経た水道水管Ｐから到来し、上部金属プレート１０および下部金属プレート２０の底面１２によって囲まれる中空の空間１５に流れるある程度冷たい水道水Ｗ１は、上部金属プレート１０の上面１１にすでに滴り落ちた熱いシャワー水Ｗの熱エネルギーを吸収することによって熱交換を実行する；４番目に、冷たい水道水Ｗ１は、直前の熱交換後に熱交換された暖かい水Ｗ２になる；５番目に、温水器１００の吸込管１０１への熱交換された暖かい水Ｗ２は、温水器１００の加熱エネルギー消費を節約するため、（図１３および図１４に示すように）下部金属プレート２０上の放水口２２の管継手Ｊを経て流れる；そして最後に、熱交換された無駄になる熱いシャワー水Ｗは、段になった浴槽２の底で（図１４および図１５に示すように）排水口４を経て外へ放出される。
【００１０】
ステンレススチール・プレート＃ＳＵＳ３０３またはＳＵＳ３０４が、既存の通常の作業工程、機械または装置により一体の実在物へのさらなるスタンプおよびスポット溶接工程のため、上部金属プレート１０および下部金属プレート２０の両方の材料として選ばれることは、本発明の製造のための前述の開示から公知であるので、販売価格および製造費用が、消費者の購買能力を増加させる結果となるだけではなく、またマーケティング促進および人気が消費者の購買意欲を促進することもできる。したがって、再利用による温水器１００の省エネルギー促進を主唱する際に、熱いシャワー水Ｗは、直接の重要な効果を有する。さらに、上部金属プレート１０上のすべての台パドル１３の熱いシャワー水Ｗの機能一時停止機能は、冷たい水道水Ｗ１との熱交換時間を増やすので、熱交換効率が増加するだけでなく、温水器１００の省エネルギー効果も促進される。
【００１１】
本発明の第２実施態様の風呂のシャワーの熱交換器を示す図１６から１９を参照する。本実施態様における風呂のシャワーの熱交換器は、上部金属プレート３０と、下部金属プレート２０と、挟まれた断熱層５０と、単一のデッキ４０と、右側腹部６０および左側腹部７０とを含む。そこにおいて：
スタンプ成型工程によって非磁性防腐金属から作成される一対の縦の押し込まれた端３６を有する長方形反りプレートである前記上部金属プレート３０は、各々のパドル下部３４の直径が台パドル３３の開口のそれよりも小さいように、その底面３２の方へ上面３１上で押される均等な間隔を置かれた並列配置の複数の台パドル３３を有し；
スポット溶接融合によって積み重なるように上部金属プレート３０の底面３２の下でパッドを入れられるように上部金属プレート３０のそれより小さい範囲で、スタンプ成型工程によって非磁性防腐金属から作成される長方形反りプレートである前記下部の金属プレート２０は、（図１６に示すように）それぞれ吸込ダクト２３が吸水口２１に溶接され、吐出しダクト２４が放水口２２に溶接されるようにその上に押される吸水口２１および放水口２２を有し；
このことにより、列におけるすべての台パドル３３の各々のパドル下部３４は、下部金属プレート２０上の対応する点で溶接され、上部金属プレート３０および下部金属プレート２０の周りのすべての周辺装置は一体の実在物に溶接される（図１８に示すように）ので、上部金属プレート３０および下部金属プレート２０によって囲まれるこれらの複数の台パドル３３以外のすべての内部空間は、水循環のための中空の空間３５を（図１８、図１９および関連した拡大図に示すように）生成し；
取り付けの土台として役立つようにその上面に配置される複数のニップル４２を有する上部金属プレート３０と同じ範囲を有する長方形平面プレートである前記単一のデッキ４０は、互いに取り付けをネジ止めするため上部金属プレート３０上の対応する一対の押し込まれた端３６を通じた自動のネジ切りのネジＤによって動かされるその一対の縦の縁辺において生成される複数の固定孔４１を有し；
発泡イソシアン酸塩、揮発性のポリスチレン、鉱物の殻のウール、アルミニウム・ケイ酸塩などのような断熱特性を有する材料でできている前記挟まれた断熱層５０は、下部金属プレート２０と単一のデッキ４０とに挟まれ；
組立てられた上部金属プレート３０と単一のデッキ４０との右横側を覆う前記右側腹部６０は、入口管継手６１の内部の端が吸込ダクト２３に連結され、放出口管継手６２の内部の端が吐出しダクト２４に連結されるように、そこで構成される入口管継手６１と放出口管継手６２とを有し；
組立てられた上部金属プレート３０と単一のデッキ４０とのもう一方の左の横側を覆う前記左側腹部７０は、右側腹部６０のそれらと同じ範囲および形状を有する。
【００１２】
そこにおいて、２つの並列した中空状の溝の一組１６が、各々の溝の一組３７のすべての隣接したとがった先溝が４列の台パドル３３（図１７に示すように）を含む偶数によって間隔を置かれるように、上部金属プレート３０の上面３１上に互いに面するように組み合わされて並置されて生成され；このことにより、各々の溝の一組３７のすべてのとがった溝は、中空の空間３５の水循環する方向を高めるために面するように組み合わされ、結果として熱交換の効率を促進する。
【００１３】
本発明の本実施態様における風呂のシャワーの熱交換器の取り付けおよびシャワー操作を示す図１７から１９を参照する。取り付けのため、水道水管Ｐを右側腹部６０の吸込管部品６１に連結し、取り付けを完了するため、右側腹部６０の放出口管継手６２に、温水器１００の吸込管１０１を連結する。シャワー操作のため、まず、放出口管１０２を経て温水器１００から到来し、シャワー噴霧器１０３から撒き散らされるある程度熱いシャワー水Ｗが、ユーザの体にシャワーを浴びせるために使われ；次に、熱いシャワー水Ｗは、上部金属プレート３０の上面３１に滴り；第３に、右側腹部６０の吸込管部品６１を経て水道水管Ｐから到来し、下部金属プレート２０の吸込ダクト２３および吸水口２１を経て、上部金属プレート３０と下部の金属プレート２０との底面３２によって囲まれる中空の空間３５へ流れるある程度冷たい水道水Ｗ１は、上部金属プレート３０（図１９に示すように）の上面３１にすでに滴った熱いシャワー水Ｗの熱エネルギーを吸収することによって熱交換を実行し；４番目に、冷たい水道水Ｗ１は、直前の熱交換の後暖かい熱交換された水Ｗ２になり；５番目に、温水器１００の吸込管１０１への暖かい熱交換された水Ｗ２は、温水器１００（図１７に示すように）の加熱エネルギー消費を節約するため、右側腹部６０の放出口管継手６２を経て流れ；そして最後に、熱交換された無駄になる熱いシャワー水Ｗは、下部金属プレート２０（図１８に示すように）の放水口２２を経て吐出しダクト２４から放出される。
【００１４】
そこにおいて、挟まれた断熱層５０の断熱特性のため、熱交換された暖かい水Ｗ２の温度は挟まれた断熱層５０によってよく維持されるので、温水器１００の吸込管１０１への熱交換された暖かい水Ｗ２の最小の熱エネルギーは失われる。さらに熱交換効果は、上部金属プレート３０の上面３１に並置して互いに面して作成される２つの並列の中空状の溝３７により中空の空間３５の水循環の方向の強化のために増加する。したがって、温水器１００の全体的な省エネルギー効果は、本発明の風呂のシャワーの熱交換器によって相当促進される。さらに、下部金属プレート２０に密接に取り付けられる上部金属プレート３０の各々の台パドル３３のパドル下部３４からの高い支持効果は、いかにも変形してシャワーのユーザの体重を支えるのに十分強いので、使用の安全性は提供される。
【００１５】
本発明の第３実施態様の風呂のシャワーの熱交換器を示す図２０から２４を参照する。本実施態様における風呂のシャワーの熱交換器は、上面金属プレート８０と、金属管の配列９０と、挟まれた断熱層５０と、単一のデッキ４０と、右側腹部６０および左側腹部７０とを含む。そこにおいて：
スタンプ成型工程によって非磁性防腐金属から作成される長方形反りプレートである前記上面金属プレート８０は、上面８１と、底面８２と、２つの横側部８３と、一対の縦の押し込まれた端８５を有する２つの縦側部８４とを有し；
上面金属プレート８０の底面８２の下に位置し、それに取り付けられる前記金属管の配列９０は、複数の(８の)直線の金属管９１と、複数の（左４および右３の）Ｕ字形曲り部品９２と、２つのオフセット部品９３とを含み、そこで：
各々の管の断面の形状が直角である直線の金属管９１は、規則正しく最前部から最後部に当接し、説明の容易さのため、それらは、例えば９１‐１…９１‐８のように番号を付けることができ（図示せず）；
並列した正方形の取り付け鼻部９２１の一対を有する曲がった中空の管である各々のＵ字形曲り部品９２は、各々の正方形の取り付け鼻部９２１の外側のサイズが各々の直線の金属管９１の内部のサイズより幾分小さいようにそれぞれ各々の開口部で構成され、説明の容易さのため、すべてのＵ字形曲がり部品９２は例えば、左後の角と右前の角とを規則正しく経て左前の角から右後の角まで９２‐ａ…９２‐ｇのように番号を付けることができる（図示せず）；
各々のオフセット部品９３は、直線の金属管９１の開いた正方形の端への連結のために内部の開口部で配置された正方形の取り付け鼻部９３１を有し、一方で管取り付け鼻部９３２は、右側腹部６０の入口管継手６１または放出口管継手６２への連結のため外部の開口部で配置され；
複数の直線の金属管９１と複数のＵ字形曲り部品９２との適切な組み合う連結配置によって、例えばＵ字形曲り部品９２‐ａは、直線の金属管９１-１および直線の金属管９１-２の各々の左端を連結し、一方でＵ字形曲り部品９２‐ｅは直線の金属管９１‐２および直線の金属管９１‐３の各々の右端などを連結し、連続的な水循環通路９４が金属管の配列９０（図２４に示すように）において生成され；
取り付けの土台として役立つようにその上面に配置される複数のニップル４２を有する上面金属プレート８０と同じ範囲の長方形平面プレートである前記単一のデッキ４０は、互いに取り付けをネジ止めするため上部金属プレート８０上の対応する一対の押し込まれた端８５を通じた自動のネジ切りのネジＤによって動かされるその一対の縦の縁辺において生成される複数の固定孔４１を有し；
発泡イソシアン酸塩、揮発性のポリスチレン、鉱物の殻のウール、アルミニウム・ケイ酸塩などのような断熱特性を有する材料でできている前記挟まれた断熱層５０は、金属管の配列９０と単一のデッキ４０とに挟まれ；
組立てられた上面金属プレート８０と単一のデッキ４０との右横側を覆う前記右側腹部６０は、入口管継手６１の内部の端がオフセット部品９３の管取り付け鼻部９３２に連結されるようにそこで構成される入口管継手６１および放出口管継手６２を有し、放出口管継手６２の内部の端は、（図２３に示すように）他のオフセット部品９３の管取り付け鼻部９３２に連結され；および、
組立てられた上面金属プレート８０と単一のデッキ４０とのもう一方の左横側を覆う前記左側腹部７０は、右側腹部６０のそれらと同じ範囲および形状を有する。
【００１６】
そこにおいて、各々の直線の金属管９１の端部分と、各々のＵ字形曲り部品９２の正方形の取り付け鼻部９２１と、金属管の配列９０における各々のオフセット部品９３の正方形の取り付け鼻部９３１とのすべての正方形の部分の形状は、楕円の直線の金属管９５（図２５に示すように）、楕円の取り付け鼻部９６１、および、楕円の取り付け鼻部９７１（図２５において図示せず）のように適合可能な方法で、楕円の形状に変えることができる。
【００１７】
実際的な用途において、まず、ある程度冷たい水道水Ｗ１が、右側腹部６０の入口管継手６１を経て金属管の配列９０において水循環通路９４へ流れ、オフセット部品９３に規則正しく連結され；次に、ユーザの体にシャワーを浴びせた後に、ある程度熱いシャワー水Ｗは、上面金属プレート８０の上面８１に滴り；第３に、冷たい水道水Ｗ１は、金属管の配列９０において熱交換した後、熱交換された暖かい水Ｗ２になるように加熱され、そして最後に熱交換された暖かい水Ｗ２は、他のオフセット部品９３を経て温水器１００の吸込管１０１に供給され、温水器１００のための加熱エネルギー消費節減を達成するため、規則正しく（図２３および２４に示すように）放出口管継手６２に連結される。さらに、金属管の配列９０の直線の金属管９１の大きい範囲のため、本実施態様における本発明の風呂のシャワーの熱交換器は、十分な量の熱いシャワー水Ｗを供給するため大規模な風呂のシャワーにも応用することができる。また、直線の金属管９１の相対的な安価な調達コスト以外にも、Ｕ字形曲り部品９２およびオフセット部品９３の大量生産は、成形工程によって実行可能である。したがって、全体的な製造費用は、本発明の風呂のシャワーの熱交換器の販売におけるマーケティング促進へのいかなる負の効果なしで本質的に減少することができる。
【００１８】
図２６から２８をさらに参照する。上述した前の金属管の配列９０は、上面金属プレート８０の底面８２の下で中心線に対称的にひだをつけられる両方の縦の縁辺から適応するヘビ状のタイプおよびその逆（図２６に示すように）、または、上面金属プレート８０の底面８２の下で外側に巻回される中心から適応するコイルタイプおよびその逆（図２７および２８に示すように）のように、温水器１００のエネルギー消費を節約する重要な効果を有するいかなる変形した異型金属管の配列２００にも変更されることができる。
【図１】
2010210228.tif 000003
【図２】
2010210228.tif 000004
【図３】
2010210228.tif 000005
【図４】
2010210228.tif 000006
【図５】
2010210228.tif 000007
【図６】
2010210228.tif 000008
【図７】
2010210228.tif 000009
【図８】
2010210228.tif 000010
【図９】
2010210228.tif 000011
【図１０】
2010210228.tif 000012
【図１１】
2010210228.tif 000013
【図１２】
2010210228.tif 000014
【図１３】
2010210228.tif 000015
【図１４】
2010210228.tif 000016
【図１５】
2010210228.tif 000017
【図１６】
2010210228.tif 000018
【図１７】
2010210228.tif 000019
【図１８】
2010210228.tif 000020
【図１９】
2010210228.tif 000021
【図２０】
2010210228.tif 000022
【図２１】
2010210228.tif 000023
【図２２】
2010210228.tif 000024
【図２３】
2010210228.tif 000025
【図２４】
2010210228.tif 000026
【図２５】
2010210228.tif 000027
【図２６】
2010210228.tif 000028
【図２７】
2010210228.tif 000029
【図２８】
2010210228.tif 000030
【外国語明細書】
2010210228000001.pdf